(57)【要約】【課題】載置台に持ち上げた米袋を預けておくことができ、かつ載置台を使用するときのみに開口部の蓋体を開放できるようにする。【解決手段】洗米部２の上側に貯米部３を配置し、この貯米部３に、貯米ケース５と、貯米ケース５内に配置された貯米庫６と、貯米ケース５の上部で貯米庫６を開閉する蓋体７とを設ける。前記貯米ケース５にその前面から出退自在でかつ突出位置で米袋Ｋを載置可能な載置台８を設け、この載置台８と蓋体７との間に載置台８の突出動作で蓋体７を開放させる連動手段９を設ける。【選択図】図１
2009011637.tif 000002
【特許請求の範囲】
【請求項１】
洗米部（２）の上側に貯米部（３）が配置され、この貯米部（３）に、貯米ケース（５）と、貯米ケース（５）内に配置された貯米庫（６）と、貯米ケース（５）の上部の開口部（５Ａ）を開閉する蓋体（７）とが設けられている洗米機において、
前記貯米ケース（５）にその前面から出退自在でかつ突出位置で米袋（Ｋ）を載置可能な載置台（８）が設けられ、この載置台（８）と蓋体（７）との間に載置台（８）の突出動作で蓋体（７）を開放させる連動手段（９）が設けられていることを特徴とする洗米機。
【請求項２】
前記載置台（８）は、貯米ケース（５）の前面に沿う位置から略水平の突出位置まで揺動すべく下部が貯米ケース（５）に横軸（１２）を介して枢支されており、前記蓋体（７）は、後部が支軸（１３）を介して貯米ケース（５）の後上部に枢支されており、前記連動手段（９）は載置台（８）の揺動を蓋体（７）の揺動に変換するリンク機構で形成されていることを特徴とする請求項１に記載の洗米機。
【請求項３】
前記載置台（８）は、前面部（８ａ）と左右脚部（８ｂ）とを有する平面視コ字形状であって、貯米ケース（５）に左右脚部（８ｂ）が前後移動自在に支持されており、前記蓋体（７）は、後部が支軸（１３）を介して貯米ケース（５）の後上部に枢支されており、前記連動手段（９）は載置台（８）の前後移動を蓋体（７）の揺動に変換するリンク機構で形成されていることを特徴とする請求項１に記載の洗米機。
【請求項４】
前記貯米ケース（５）は上部から前面上部まで開口部（５Ａ）が形成され、前記蓋体（７）は開口部（５Ａ）を上から閉鎖する上面部（７Ｕ）と、前面上部を前から閉鎖する前面部（７Ｓ）とが設けられていることを特徴とする請求項１〜３のいずれかに記載の洗米機。
【請求項５】
前記蓋体（７）は前後に２分割されていて、前部蓋（７Ｆ）が後部蓋（７Ｒ）に枢支連結され、後部蓋（７Ｒ）が支軸（１３）を介して貯米ケース（５）の後上部に枢支されかつ前記連動手段（９）と連結されており、前記後部蓋（７Ｒ）が上方揺動するときに前部蓋（７Ｆ）が後部蓋（７Ｒ）の前端から垂下可能であることを特徴とする請求項１〜４のいずれかに記載の洗米機。
【発明の詳細な説明】
【技術分野】
【０００１】
本発明は、上部に貯米部を有する洗米機に関する。
【背景技術】
【０００２】
洗米機はフレームの上部にケースを設け、このケース内に貯米部を設け、この貯米部の下側に洗米部を設けており、貯米部に米を投入する場合は、作業者がケース上部の開口部の蓋を開け、米袋をケースの上部側まで持ち上げながら傾けることで、開口部から米袋Ｋ内の米を投入している（例えば、特許文献１参照。）。
【特許文献１】特開２００１−３２２号公報
【発明の開示】
【発明が解決しようとする課題】
【０００３】
前記従来技術においては、米袋をケースの上部側まで持ち上げながら傾けるという作業は重労働であり、開口部の蓋の開閉忘れも生じることがある。
本発明は、このような従来技術の問題点を解決できるようにした洗米機を提供することを目的とする。
本発明は、載置台に持ち上げた米袋を預けておくことができ、かつ載置台を使用するときのみに開口部の蓋体を開放できるようにした洗米機を提供することを目的とする。
【課題を解決するための手段】
【０００４】
本発明における課題解決のための具体的手段は、次の通りである。
第１に、洗米部２の上側に貯米部３が配置され、この貯米部３に、貯米ケース５と、貯米ケース５内に配置された貯米庫６と、貯米ケース５の上部の開口部５Ａを開閉する蓋体７とが設けられている洗米機において、
前記貯米ケース５にその前面から出退自在でかつ突出位置で米袋Ｋを載置可能な載置台８が設けられ、この載置台８と蓋体７との間に載置台８の突出動作で蓋体７を開放させる連動手段９が設けられていることを特徴とする。
【０００５】
第２に、前記載置台８は、貯米ケース５の前面に沿う位置から略水平の突出位置まで揺動すべく下部が貯米ケース５に横軸１２を介して枢支されており、前記蓋体７は、後部が支軸１３を介して貯米ケース５の後上部に枢支されており、前記連動手段９は載置台８の揺動を蓋体７の揺動に変換するリンク機構で形成されていることを特徴とする。
第３に、前記載置台８は、前面部８ａと左右脚部８ｂとを有する平面視コ字形状であって、貯米ケース５に左右脚部８ｂが前後移動自在に支持されており、前記蓋体７は、後部が支軸１３を介して貯米ケース５の後上部に枢支されており、前記連動手段９は載置台８の前後移動を蓋体７の揺動に変換するリンク機構で形成されていることを特徴とする。
【０００６】
第４に、前記貯米ケース５は上部から前面上部まで開口部５Ａが形成され、前記蓋体７は開口部５Ａを上から閉鎖する上面部７Ｕと、前面上部を前から閉鎖する前面部７Ｓとが設けられていることを特徴とする。
第５に、前記蓋体７は前後に２分割されていて、前部蓋７Ｆが後部蓋７Ｒに枢支連結され、後部蓋７Ｒが支軸１３を介して貯米ケース５の後上部に枢支されかつ前記連動手段９と連結されており、前記後部蓋７Ｒが上方揺動するときに前部蓋７Ｆが後部蓋７Ｒの前端から垂下可能であることを特徴とする。
［作用］
前記構成の洗米機における作用は、次の通りである。
【０００７】
載置台８は貯米ケース５の前面から出退自在であり、突出させた位置で保持される。この突出位置では米袋Ｋを載置可能になっており、米袋Ｋは載置台８に載置した状態で貯米ケース５の上部前面に凭れ掛けさせることができ、その状態で米袋Ｋの口を開口部５Ａに臨ませて、米を投入することができる。
載置台８と蓋体７とは連動手段９によって連動連結されていて、載置台８を後退位置から突出位置へ突出させる動作で、蓋体７は開口部５Ａを閉鎖した姿勢から上方の開放姿勢まで連動して開放動作し、載置台８が突出位置で保持されれば蓋体７も開放姿勢で保持され、載置台８を後退させれば蓋体７も閉鎖動作をし、蓋体７の自動開放ができると同時に蓋体７の閉め忘れを防止できる。
【０００８】
載置台８は、下部が貯米ケース５に横軸１２を介して枢支されており、後退位置で貯米ケース５の前面に沿わせておくことができ、突出位置で略水平姿勢になって、米袋Ｋを安定載置しておける。
載置台８は、前面部８ａと左右脚部８ｂとを有する平面視コ字形状であって、貯米ケース５に左右脚部８ｂが前後移動自在に支持されており、前移動することにより突出位置となって略水平姿勢で米袋Ｋを安定載置しておける。
連動手段９は載置台８の揺動を蓋体７の揺動に変換するリンク機構、または、載置台８の前後移動を蓋体７の揺動に変換するリンク機構であり、蓋体７を揺動する機構を簡単かつ容易に形成できる。
【０００９】
蓋体７は上面部７Ｕと前面部７Ｓとを有し、開放することにより貯米ケース５の上部から前面上部まで開口させることができ、開口部５Ａが広くなり、米の投入が極めて容易にできる。
蓋体７が前部蓋７Ｆと後部蓋７Ｒとに２分割されていると、後部蓋７Ｒが上方揺動するときに前部蓋７Ｆが後部蓋７Ｒの前端から垂下することになり、開口部５Ａの開放面積を大きくすることができ、米の投入が極めて容易にできる。
【発明の効果】
【００１０】
本発明によれば、貯米庫６への米投入時に開口部５Ａの近傍に載置台８を介して米袋Ｋを載置しておくことができ、載置台８を後退位置から突出位置へ移動するだけで蓋体７を開放動作させることができ、米の投入を容易にできる。
【発明を実施するための最良の形態】
【００１１】
以下、本発明の実施の形態を図面に基づいて説明する。
図３、４において、洗米機１は、米を洗米し、その米を水加減水と共に排出するまでを自動で行う自動洗米機であり、機フレーム４に支持された貯米部３と、この貯米部３の下側に配置された洗米部２とを有している。
機フレーム４は、左右方向に間隔をおいて配置された左右一対の支柱１７と、この支柱１７から前方に突出した脚台１８とを備え、この脚台１８上に水平方向移動自在に支持されかつ炊飯器Ｐが載置されるスライド架台１９が設けられている。
【００１２】
スライド架台１９は取手２０を介して押し引き自在であり、炊飯器Ｐを洗米部２の直下にセットしたり、セットした炊飯器Ｐを外部へ取り出すことができる。なお、スライド架台１９上には炊飯器Ｐの代わりに内釜又は容器を載置するようにしてもよい。
貯米部３は、機フレーム４の上側に平面視角形状の貯米ケース５を固定し、この貯米ケース５内に米を貯米する貯米庫６を配置している。貯米ケース５の上部には貯米庫６に米を投入するための開口部５Ａが設けられ、この開口部５Ａは貯米ケース５の後上部に支軸１３を介して枢支された蓋体７によって開閉自在になっている。
【００１３】
前記貯米ケース５は、その前面下部に操作パネル２１が設けられ、その前面上部に横軸１２を介して出退自在な載置台８が配置されており、後退位置の載置台８の前面は操作パネル２１の前面と略面一に配置され、上下隙間も可及的に小さくなるようにそれぞれ形成されている。
操作パネル２１は、洗米部２及び貯米部３を制御し、洗米する米の量、炊飯時間、浸漬時間、水加減水の量等を設定することができる。
前記貯米庫６の下部には計量器２５が装着されており、この計量器２５で計量した米を洗米部２に投入可能である。
【００１４】
洗米部２は、貯米ケース５の下面側に取付固定された洗米槽２６と、この洗米槽２６内に水（水加減水）を供給する給水装置２７と、洗米槽２６内の米及び水を撹拌する撹拌装置２８とを備えている。
洗米槽２６は上下端部が開口状とされており、洗米槽２６の上部は円筒形で、下部は下端開口に向けて先窄まりの円錐形になっている。この洗米槽２６の下端側には、洗米槽２６の下端側から洗米水（研ぎ汁）を排水するための排水ジャケット２９が設けられている。排水ジャケット２９は横側に伸びる枝管３０を介して排水ボックス３１と連通されている。
【００１５】
この排水ボックス３１には縦管３２の下端が取り付けられ、縦管３２の上端には洗米槽２６内の洗米水の水面側の水や洗米水上に浮遊するゴミ等の不純物等を排水するためのオーバーフロー孔に接続されている。
給水装置２７は、水や水加減水を供給する給水管３３と、この給水管３３に接続されて給水管３３内の水や水加減水の給水を行ったり給水を停止する給水制御部３４と、給水管３３に接続されかつ洗米槽２６内に設けられていて洗米槽２６内に水加減水を給水する給水部３５とを有している。
【００１６】
撹拌装置２８は、洗米槽２６内の中心に回転自在に支持された回転軸３７と、この回転軸３７に取り付けられて回転することにより洗米槽２６内の米及び水を撹拌する複数本の撹拌棒３８とを有している。
また、回転軸３７を貫通して昇降自在な弁棒３９が設けられ、この弁棒３９の下端に洗米槽２６の下端開口を開閉する円錐弁４０が設けられ、この円錐弁４０を開放して、洗米後の米及び水加減水を排出可能になっている。
図１〜４に示す第１実施形態において、貯米ケース５の前面の操作パネル２１より上側は、貯米ケース５自体の前壁５Ｂ又は貯米庫６の前壁によって閉鎖されており、その前壁５Ｂの前面側に配置された載置台８は基部が横軸１２を介して貯米ケース５に枢支されている。
【００１７】
前記載置台８は、操作パネル２１の前面と略面一に配置された後退位置（図３に実線で、図１に仮想線で示す、貯米ケース５の前面に収納された状態。）から横軸１２廻りに前揺動して、突出位置（図１に実線で、図３に仮想線で示す。）へ突出することができ、この突出位置で載置台８は操作パネル２１の前面と略直角の水平姿勢となる。
米袋Ｋは水平姿勢の載置台８上に載置し、貯米ケース５の前壁５Ｂに凭れ掛けさせ、その口を開口部５Ａに臨ませながら貯米庫６内へ米を投入する。また、載置台８を米袋Ｋの一時置きに利用して、米袋Ｋを、載置している載置台８から持ち上げて、米を投入するようにしてもよい。
【００１８】
載置台８は突出位置で操作パネル２１の上面に当接して水平姿勢に保持してもよいが、先端側に左右一対の帯板製の保持部材４３をピンを介して枢支連結し、この保持部材４３を前壁５Ｂに挿通し、この保持部材４３の貯米庫６側端部に止め部材４４を設けておき、載置台８を水平姿勢まで揺動したときに前記止め部材４４が前壁５Ｂに当接することにより、それ以上の揺動が生じないようにしている。
前記保持部材４３及び止め部材４４は、載置台８を突出位置で保持する位置保持手段１４を構成し、載置台８に載置する米袋Ｋの重量（例えば、１０ｋｇ）を十分に支えられるようになっている。
【００１９】
なお、位置保持手段１４は、保持部材４３に止め部材４４の代わりに前壁５Ｂに係脱自在に係合する切欠を設けたり、または止め部材４４とは別に前壁５Ｂに係脱自在に係合する突起を併設したりして、保持部材４３を前壁５Ｂに係合したときに、載置台８を水平姿勢から上下どちらへも揺動しない構造としてもよい。
貯米ケース５の前壁５Ｂの上縁は左右側壁の上縁より低く、前壁５Ｂの上側も開口部５Ａとなっており、この開口部５Ａを開閉する蓋体７は、開口部５Ａの上部を塞ぐ上面部７Ｕの前端に前壁５Ｂの上側の開口部分を塞ぐ前面部７Ｓが一体成形されており、蓋体７の前部は側面視Ｌ字形状になっている。
【００２０】
載置台８の横軸１２と蓋体７の支軸１３とにはそれぞれ載置台用アーム４５、蓋体用アーム４６が設けられており、両アーム４５、４６の自由端はリンク４７で連結され、これらのリンク機構によって左右一対の連動手段９を構成している。
そして、前記連動手段９は、載置台８が後退位置のときに蓋体７は閉鎖位置となり、載置台８を後退位置から前揺動して突出位置へ揺動するとき、蓋体７は閉鎖位置から上昇して開放される。逆に、載置台８が突出位置から後退位置へ揺動すると、蓋体７は開放位置から閉鎖位置へ揺動する。
【００２１】
蓋体７は図１の実線で示す位置が開放位置になる場合は、開放位置から自重で閉鎖動作をすることになるが、開放位置で蓋体７の重心が支軸１３を越えて後側になるように設定すれば、蓋体７の重量で載置台８を突出位置に保持し、蓋体７を開放位置に維持することが可能になる。
図５は蓋体７の変形例を示しており、この蓋体７は、前後に２分割されていて、前部蓋７Ｆが後部蓋７Ｒに連結軸４８を介して枢支連結され、後部蓋７Ｒが支軸１３を介して前記連動手段９と連結されている。
【００２２】
貯米ケース５の開口部５Ａを形成している左右側壁の上縁は後上向きに傾斜しており、閉鎖時の蓋体７は後部から前部へ下向き傾斜姿勢となり、前記載置台８を突出揺動すると、前記連動手段９を介して後部蓋７Ｒが上方揺動し、そのとき前部蓋７Ｆは後部が連結軸４８を介して後部蓋７Ｒにより後上方へ引き上げられ、後部蓋７Ｒの前端から垂下状態になる。
蓋体７が前後に２分割されている場合は１枚板の場合に比べて、開口部５Ａを前面側から上面中途まで大きく開放でき、開放した蓋体７の最高高さを低くできる。
【００２３】
蓋体７は開放状態から閉鎖するとき、前部蓋７Ｆの先端が貯米ケース５の左右側壁の上縁と当接しても、前記左右側壁の上縁は後上向きに傾斜しているので、閉鎖姿勢まで支障なく移動する。
図６に示す第２実施形態において、載置台８は貯米ケース５に前方引き出し自在に設けられ、蓋体７は後部下面に固定の支持アーム５０が支軸１３を介して貯米ケース５の後上部に枢支されている。
貯米ケース５は左右側壁の内面の上下中途部にレール部４９が設けられ、載置台８は前面部８ａと左右脚部８ｂとを有する平面視コ字形状であって、左右脚部８ｂが前記レール部４９に前後移動自在に支持されている。
【００２４】
この脚部８ｂには突出したときに貯米ケース５と係合して前後移動（特に後方移動）を阻止する位置保持手段１４が設けられている。この位置保持手段１４は、例えば、フック形状の保持体５１を脚部８ｂに枢支し、この保持体５１をスプリングで脚部８ｂから上方突出するように付勢し、載置台８を引き出して保持体５１がレール部４９から突出したときに、保持体５１を貯米ケース５の前壁に係合させて載置台８の戻り動作を阻止させ、この保持体５１をスプリングに抗して下方揺動させることにより、載置台８の押し込みが可能になるように構成される。
【００２５】
前記左右脚部８ｂと貯米ケース５の背壁との間には、２本のリンクをピン５２で連結した屈折リンク５３Ｆ、５３Ｒが設けられており、この屈折リンク５３Ｆ、５３Ｒのピン５２と蓋体７のアーム４６とがリンク４７で連結され、リンク式連動手段９を構成している。
前記載置台８は前面部８ａの前面が貯米ケース５の前面と略面一に位置する後退位置から図６に実線で示す突出位置まで引き出すことができ、その引き出し動作で、左右脚部８ｂと連結されている屈折リンク５３Ｆ、５３Ｒが図６に仮想線で示す屈曲状態から実線で示す伸張状態に変化し、それによるピン５２の上昇によりリンク４７を介して蓋体７を開放動作させる。
【００２６】
図７に示す第３実施形態において、蓋体７は左右各側部が２本の揺動リンク５５、５６を介して貯米ケース５の左右側壁に枢支されており、一方の揺動リンク５５（又は５６）に連動手段９のリンク４７が連結されている。
前記蓋体７と２本の揺動リンク５５、５６は４節リンク機構を構成しており、揺動リンク５５、５６の揺動で、蓋体７は前部が後部よりも大きく昇降し、開口部５Ａを閉鎖した状態から後上方へ移動して開放状態になる。
前記２本の揺動リンク５５、５６による蓋体７の開閉は、蓋体７の後端を枢支した開閉に比べて、洗米機１の背面に蓋体７の移動空間を必要とするが、開放時の蓋体７の先端の最高高さを低くできかつ後方に配置できる。
【００２７】
なお、本発明は前記実施形態における各部材の形状及びそれぞれの前後・左右・上下の位置関係は、図１〜７に示すように構成することが最良である。しかし、前記実施形態に限定されるものではなく、部材、構成を種々変形したり、組み合わせを変更したりすることもできる。
例えば、蓋体７を前後複数枚の板材で形成し、前側の板材を後側の板材の上に重ねるように摺動可能にし、揺動又は摺動する載置台８と前記前側の板材とをワイヤで連結し、かつスプリングで戻り動作可能にし、載置台８の突出動作で前側の板材を後方摺動させて開口部５Ａを開放させるように構成してもよい。
【図面の簡単な説明】
【００２８】
【図１】第１実施形態の洗米機の貯米部の一部断面側面図である。
【図２】貯米部の断面平面図である。
【図３】洗米機の全体側面図である。
【図４】洗米機の全体斜視図である。
【図５】蓋体の変形例を示す一部断面側面図である。
【図６】第２実施形態の洗米機の貯米部の一部断面側面図である。
【図７】第３実施形態の洗米機の貯米部の一部断面側面図である。
【符号の説明】
【００２９】
１      洗米機
２      洗米部
３      貯米部
４      機フレーム
５      貯米ケース
５Ａ    開口部
６      貯米庫
７      蓋体
８      載置台
９      連動手段
１２    横軸
１３    支軸
１４    位置保持手段
【図１】
2009011637.tif 000003
【図２】
2009011637.tif 000004
【図３】
2009011637.tif 000005
【図４】
2009011637.tif 000006
【図５】
2009011637.tif 000007
【図６】
2009011637.tif 000008
【図７】
2009011637.tif 000009